(57)【要約】      （修正有）【課題】必要な耐久性を備えながら、家屋への侵入経路としての使用することが困難となる竪樋とその止め具の構造を提供する。【解決手段】被取付面１に対し導水路２を揺動自在に取り付ける。前記導水路が変形自在の樹脂ホースであれば、前記被取付面に対し鉛直方向に間隔を空けて固定された複数の環状部材５に挿通し取り付ける。また、前記導水路はその変形が制限された剛性を有するものであれば、前記被取付面に対し、可撓性を有する腕部と環状部材とで構成される止め具の複数を、鉛直方向に間隔を空けて、前記腕部を介して固定し、前記導水路を前記環状部材に挿通し取り付ける。第二の構造では、導水路に接近した者に対する警告手段を、前記導水路に設ける。前記警告手段は、前記導水路が設けられた敷地の外からは判読されない大きさの文字で表示された警告文であってもよく、前記警告手段の近傍の環境変化に応じて表示されるものであってもよい。【選択図】図１
2011026839.tif 000002
【特許請求の範囲】
【請求項１】
被取付面に対し導水路を揺動自在に取り付けたことを特徴とする竪樋とその止め具の構造。
【請求項２】
前記導水路を変形自在の樹脂ホースとし、前記被取付面に対し鉛直方向に間隔を空けて固定された複数の環状部材に挿通し取り付ける請求項１に記載の竪樋とその止め具の構造。
【請求項３】
前記被取付面に対し、可撓性を有する腕部と環状部材とで構成される止め具の複数を、鉛直方向に間隔を空けて、前記腕部を介して固定し、前記導水路を前記環状部材に挿通し取り付ける請求項１に記載の竪樋とその止め具の構造。
【請求項４】
導水路に接近した者に対する警告手段を、前記導水路に設けたことを特徴とする竪樋とその止め具の構造。
【請求項５】
前記警告手段は、前記導水路が設けられた敷地の外からは判読されない大きさの文字で表示された警告文である請求項４に記載の竪樋とその止め具の構造。
【請求項６】
前記警告手段は、近傍の環境変化に応じて表示される請求項４又は５に記載の竪樋とその止め具の構造。
【請求項７】
前記警告手段は、近傍の環境変化に応じて音を発する請求項４、５又は６に記載の竪樋とその止め具の構造。
【請求項８】
前記警告手段は、前記導水路が変形したときに表示される請求項４又は５に記載の竪樋とその止め具の構造。
【請求項９】
前記警告手段は、前記導水路が変形したときに音を発する請求項４、５又は６に記載の竪樋とその止め具の構造。
【請求項１０】
前記導水路は、設置される建造物の色彩と異なる色彩を有する請求項１ないし９のいずれか一つに記載の竪樋とその止め具の構造。
【請求項１１】
前記導水路は、模様を有する請求項１ないし１０のいずれか一つに記載の竪樋とその止め具の構造。
【請求項１２】
前記導水路は透光性を有する請求項１ないし１１のいずれか一つに記載の竪樋とその止め具の構造。
【請求項１３】
前記導水路は、表面に光触媒層を有し、内面に抗菌層を有する請求項１２に記載の竪樋とその止め具の構造。
【発明の詳細な説明】
【技術分野】
【０００１】
本発明は、陸屋根や屋根の雨樋で集めた雨水を地中に導くための竪樋とその止め具の構造に関する。
【背景技術】
【０００２】
屋根の縁辺に設けられた雨樋で集められた雨水を地中に導くための竪樋は、軽質で耐久性を有するものが好ましく、通常、常温で硬質の樹脂パイプ、例えば、塩化ビニル性樹脂パイプで構成される。しかしながら、竪樋を硬質の材料で構成した場合、地震や強風時などに水平方向へ力が働くと、雨樋との連結部分で破損してしまう。そこで、水平方向へ働く衝撃を緩和するための手法が提案されている。例えば、特開２００３−２７６８２号公報には、免震構造物における縦樋（竪樋）の取付構造が開示されている。この取付構造では、地震動から免震される免震構造物側に取り付けられる構造物側の竪樋の下端と、地盤側に取り付けられた地盤側の竪樋の上端とが、可撓性を有する材料で成形され連結管により連結されるため、地震動は連結管により吸収されることになり、竪樋の破損を防ぐことができる。
【０００３】
一方、水平方向へ働く衝撃を緩和する目的ではないものの、異なる目的のために、竪樋に相当する部分に可撓性チューブを採用することも提案されている。例えば、特開２００８−１５０９４８号公報、特開２００４−３０８３９９号公報、特開２００４−２５１０７５号公報には、竪樋に相当する縦サイホン管路を軟質合成樹脂や合成ゴムなどからなる可撓性を有するチューブとすることが記載されている。
【先行技術文献】
【特許文献】
【０００４】
【特許文献１】特開２００３−０２７６８２号公報
【特許文献２】特開２００８−１５０９４８号公報
【特許文献３】特開２００４−３０８３９９号公報
【特許文献４】特開２００４−２５１０７５号公報
【発明の概要】
【発明が解決しようとする課題】
【０００５】
竪樋に関する問題は、上記地震や強風時の破損の他にもあり、その一つとして、窃盗犯により家屋への侵入経路として使用される問題がある。しかしながら、必要とされる耐久性を備えた竪樋は、人がよじ登ることのできる剛性を有することになるため、家屋への進入経路としての使用を防ぐことは難しかった。
【０００６】
そこで、本発明は、必要な耐久性を備えながら、家屋への侵入経路としての使用が困難となる竪樋とその止め具の構造を提供することを目的とする。
【課題を解決するための手段】
【０００７】
本発明に係る第一の竪樋とその止め具の構造（以下、第一の構造とする）では、被取付面に対し導水路を揺動自在に取り付ける。なお、本発明において揺動自在とは、導水路に外力が働くと、水平方向に振れる状態となることをいう。例えば、前記導水路を変形自在の樹脂ホースとした場合、前記被取付面に対し鉛直方向に間隔を空けて固定された複数の環状部材に挿通し取り付ければよい。ただし、前記導水路はその変形が制限された剛性を有するもの、例えば、塩化ビニル樹脂製のパイプでもよく、その場合、前記被取付面に対し、可撓性を有する腕部と環状部材とで構成される止め具の複数を、鉛直方向に間隔を空けて、前記腕部を介して固定し、前記導水路を前記環状部材に挿通し取り付ける。
【０００８】
本発明に係る第二の竪樋とその止め具の構造（以下、第二の構造とする）では、導水路に接近した者に対する警告手段を、前記導水路に設ける。前記警告手段は、前記導水路が設けられた敷地の外からは判読されない大きさの文字で表示された警告文であってもよく、前記警告手段の近傍の環境変化に応じて表示されるものであってもよく、更に、前記警告手段の近傍の環境変化に応じて音を発するものであってもよい。更にまた、前記導水路が変形したときに表示されるものであってもよく、前記導水路が変形したときに音を発するなお、警告手段の近傍の環境変化とは、例えば、導水路に登ろうとする者の影による明るさの変化や、警告手段の設けられた部分に外力が加えられた状態となることなどである。
【０００９】
上記第一又は第二の構造において、前記導水路は、設置される建造物の色彩と異なる色彩を有してもよく、模様を有していてもよく、更に透光性を有していてもよい。また、透光性を有する場合、表面に光触媒層を有し、内面に抗菌層を有することが好ましい。光触媒層としては、１０ｎｍ以上の膜からなるもので、光触媒作用もしくは親水性機能をもつものが使用でき、また、その膜が定着するようにプライマーを使用し形成されたものであってもよい。
【発明の効果】
【００１０】
本発明に係る第一の構造によれば、導水路を揺動自在に取り付けたため、これを掴んで登ることを試みた場合、水平方向に振れて不安定な状態となる。従って、家屋への侵入経路としての使用が困難なものとなる。また、導水路に変形自在の樹脂ホースを採用すれば、被取付面に対し鉛直方向に間隔を空けて固定された複数の環状部材、すなわち従来の固定用具に挿通し取り付けることで、これら固定用具を支点として、固定用具の間の部分が大きく揺動することになる。従って、被取付面に既に設けられた固定用具を利用しながら、導水路を揺動自在に取り付けることが可能となる。一方、導水路に、その変形が制限された剛性を有するもの、例えば、従来の塩化ビニル樹脂製のパイプを採用する場合、被取付面に対し、可撓性を有する腕部と環状部材とで構成される止め具の複数を、鉛直方向に間隔を空けて、腕部を介して固定し、導水路を環状部材に挿通し取り付けることで、被取付面に対し、揺動自在に取付けることができる。すなわち、導水路として使用できる材質の選択の余地が大きく、必要な耐久性を備えるものを適宜採用することができるため、必要な耐久性を備えながら、家屋への侵入経路としての使用が困難な竪樋とその止め具の構造となる。
【００１１】
本発明に係る第二の竪樋とその止め具の構造によれば、導水路に接近した者に対する警告手段を、導水路に設けたことにより、これを登ろうとする者に対し警戒感を抱かせることで、家屋への侵入経路として使用され難いものにできる。警告手段は、例えば、導水路が設けられた敷地の外からは判読されない大きさの文字で表示された警告文であることが好ましく、この場合、導水路を登ろうとする者に対し、敷地に侵入する際は単なる線や縞模様と認識させながら、目の前で突然警告を発することとなり、強い警戒感を抱かせることができる。また、警告手段の近傍の環境変化、例えば、導水路に登ろうとする者の影による明るさの変化や、警告手段の設けられた部分に外力が加えられた状態となることなどに応じて表示されるものや音を発するものとしても、更には、導水路が変形したときに表示されるものや音を発するものとしても、同様の効果を得ることができる。特に、音を発する場合は、周囲の者の注意を集めることになるため、これを登り続けることが難しくなる。
【００１２】
更に、第一又は第二の構造において、樹脂ホースが、設置される建造物の色彩と異なる色彩を有するものであれば、これに接した看者の注意をひくことになるため、侵入を試みようとする者に対しては侵入経路として使用できないことを意識させることになり、また、仮に試みた場合であっても周囲の者の注意をひくこととなるため侵入経路として更に使用され難いものにできる。模様を有するものであっても同様の効果を得ることができ、特に色彩と模様を組み合わせて使用することで、より看者の注意をひくものとなり、侵入経路として更に使用され難いものにできる。
【００１３】
更にまた、導水路が透光性を有するもの、すなわち透明な素材で形成されたものであれば、従来の導水路とは全く異なる外観を呈するものとなり、より強く看者の注意をひくものとなり、侵入経路として更に使用され難いものにできる。そして、導水路が透光性を有する場合、表面に光触媒層を有し、内面に抗菌層を有するものであれば、表面に付着した汚れが自浄作用により洗浄され、導水路の透光性が維持される。また、光触媒層により紫外線を吸収されることで劣化を防ぐことが出来る。従って、侵入経路として更に使用され難いものとしながら、耐久性を持続することができる。
【図面の簡単な説明】
【００１４】
【図１】本発明に係る竪樋とその止め具の構造の実施例の概観を示す正面図である。
【図２】同実施例における導水路の揺動状態を模式的に示す正面図である。
【図３】本発明に係る竪樋とその止め具の構造の他の実施例の概観を示す正面図である。
【図４】同実施例において使用される止め具の外観を示し、（ａ）は腕部が縮んだ状態の平面図、（ｂ）は腕部が伸びた状態の平面図である。
【図５】同実施例における導水路の揺動状態を模式的に示す側面図である。
【図６】同実施例における導水路の縞模様を拡大して示す図である。
【発明を実施するための形態】
【００１５】
図１及び図２を参照しながら、本発明に係る竪樋とその止め具の構造の実施例について説明する。
この構造では、設置対象となる建造物１０の被取付面１に対し、変形自在の樹脂ホースが導水路２として揺動自在に取り付けられている。導水路２の上端部は、建造物１０の壁面を貫通し建造物１０の屋上に形成された排水路に連通する排水管３に連結され、下端部は地中に設けられた雨水枡４に挿入されている。被取付面１には、鉛直方向に間隔を空けて複数の環状部材５が固定されており、導水路２はこれら環状部材５に挿通されている。
【００１６】
この構造では、導水路２に登ることを試みて掴んだ場合、図２の破線で示すように、環状部材５を支点として、環状部材５の間の部分が大きく揺動することになる。従って、従って、家屋への侵入経路としての使用が困難なものとなる。
【００１７】
導水路２として使用されている樹脂ホースには、透明ホースが採用されている。そのため、従来の導水路とは全く異なる外観を呈するものとなっており、看者の注意をひくことで、侵入経路として使用され難いものとなっている。なお、そのような樹脂ホースとしては、屋外で所望の期間、損傷することなく使用でき、必要な変形をするものであれば制限はなく、公知の工業用ホースを、例えばＴＡＣエコダクト（製品名、東拓工業株式会社製）を使用することができる。なお、ＪＩＳ等の規格に適合するものであれば、同規格に適合する資材で構築された既設の排水管や環状部材を、何らの変更を加えることなく適用できる利点もある。
【００１８】
また、導水路２として使用されている樹脂ホースには、その表面に光触媒層が施され、内面に抗菌層が施されている。そのため、表面に付着した汚れが自浄作用により洗浄され、導水路２の透光性が維持される。また、光触媒層により紫外線を吸収されることで劣化を防ぐことが出来る。従って、侵入経路として使用され難いものとしながら、耐久性を持続することができるものとなっている。
【００１９】
図３〜５を参照しながら、本発明に係る竪樋とその止め具の構造の他の実施例について説明する。なお、図３〜５において、図１及び図２と実質的に同一の部分には同符号を付すものとする。
この構造では、設置対象となる建造物１０の被取付面１に対し、その変形が制限された剛性を有する塩化ビニル樹脂製のパイプが導水路２として揺動自在に取り付けられている。導水路２の上端部は、図１及び図２に示す実施例と同様、建造物１０の壁面を貫通し建造物１０の屋上に形成された排水路に連通する排水管３に連結され、下端部は地中に設けられた雨水枡４に挿入されている。被取付面１には、可撓性を有する腕部６と環状部材５とで構成される止め具７の複数が、鉛直方向に間隔を空けて、腕部６を介して固定されている。そして、導水路２はこれら環状部材５に挿通されている。
【００２０】
止め具７の腕部６は、金属製のばねと棒材を結合して形成したもので、ばねが縮んだ状態（図４（ａ）に示す状態）と、ばねが伸びた状態（図４（ｂ）に示す状態）をとることで、腕部６が伸縮するものとなっている。そのため、導水路２に登ることを試みてこれを掴んだ場合、図５の破線で示すように、導水路２全体が被取付面１に対し大きく揺動することになる。従って、家屋への侵入経路としての使用が困難なものとなる。なお、止め具７は、被取付面１に対し導水路２を揺動させる可撓性を備えるものであればその構造に制限はなく、使用状況に応じ、適宜好適な構造とすればよい。また、腕部６における弾性係数を適宜調整することで、通常の風では揺動することなく、導水路２に登ることを試みて掴まれた場合に揺動するものとすることができる。
【００２１】
この構造では、導水路２が揺動すると排水管３との接合部に力が加わることになるが、この部分には上記図１及び図２に示す構造で使用した樹脂ホースを採用することで、力が加わることによる破損を防止できる。ただし、仮に破損したとしても、家屋に侵入された場合に被る被害は回復することが難しいのに対し、破損箇所は修理により回復できるため、侵入経路として使用されることを防止することにより、全体的な被害は最小限に抑えられることになる。
【００２２】
導水路２として使用されている樹脂パイプは、また、建造物１０の色彩と異なる色彩とされており、更に、その表面には縞模様が施されている。そのため、従来の導水路とは全く異なる外観を呈するものとなっており、看者の注意をひくことで、侵入経路として使用され難いものとなっている。導水路２の色彩は、所有者の好みにより適宜選択すればよいが、これに接した看者の注意をひくもの、例えば、赤などの明彩色が好適である。
【００２３】
導水路２に施された縞模様の各縞は、図６に示すように、導水路２が設けられた建造物１０の敷地の外からは判読されない大きさの文字で表示された警告文となっている。そのため、導水路２を登ろうとする者に対し、敷地に侵入する際は単なる縞模様と認識させながら、目の前で突然警告を発するものとなり、強い警戒感を抱かせることができる。なお、図６において、文字は水平方向にのみ並べられているが、文字を並べる方向は使用者の好みに応じたものとすればよく、例えば、水平方向に加えて更に垂直方向にも並べることで、建造物１０の敷地の外からは格子模様に見えるものとしてもよい。
【００２４】
また、この警告文からなる縞模様は、導水路２に直接印刷されたものであってもよく、或いはそれを印刷したシールを導水路２に貼付したものであってもよい。
【００２５】
更に、警告手段としては、敷地外で気付かれることなく、導水路２を登ろうとするときに突然警告を発するものであればよく、導水路に登ろうとする者の影による明るさの変化や、警告手段の設けられた部分に外力が加えられた状態となることなどに応じて、或いは導水路が変形したときに、発光による表示がされるものや音を発するものとしてもよい。
【００２６】
なお、この構造における止め具７の腕部６は、上記のように、金属製のばねと棒材を結合して形成したものとなっているため、金属製のばねの部分の外観  すなわち細い線材が間隔を空けて配置される外観によって、看者に対しその支持力が強くない印象を与えることができる。そのため、この止め具７によてっも、上記警告文と同様、導水路２を登ろうとする者に対し、強い警戒感を抱かせることができる。
【符号の説明】
【００２７】
１    被取付面
２    導水路
３    排水管
４    雨水枡
５    環状部材
６    腕部
７    止め具
１０  建造物
【図１】
2011026839.tif 000003
【図２】
2011026839.tif 000004
【図３】
2011026839.tif 000005
【図４】
2011026839.tif 000006
【図５】
2011026839.tif 000007
【図６】
2011026839.tif 000008